(57)【特許請求の範囲】
【請求項１】
溝を有するシャッター上レールがシャッター巻上げ装置下部に溝が下向きになるように取付けられ、溝を有するシャッター下レールがシャッター下部に溝が上向きになるように取り付けられ、前記シャッター上レールの溝にシャッター開閉距離よりも長くシャッター補強柱作動優先順位調整用コロシャフトブレーキを有すシャッター補強柱の一端をシャッター上レール内に他端をシャッター下レール内に転がり自在に保持すると共に、そしてシャッター下レール内の補強柱の端はシャッター上レール内に設けたコロストッパーよりも外側であることを特徴とするシャッター補強柱。
【請求項２】
シャッター上レールが間口の外側又はシャッター可動範囲外に延長される事を特徴とする請求項１記載のシャッター補強柱。
【請求項３】
シャッター補強柱のパイプの部分を外側パイプと内側パイプとで形成され、外側パイプの中に内側パイプをすべり込ませてパイプを二重にした事によりシャッター補強柱の長さが長短自在であって、シャッター補強柱外パイプにシャッター補強柱作動優先順位調整用リーフスプリングを備えた事を特徴とする請求項１又は２に記載のシャッター補強柱。
【請求項４】
複合炭素繊維を用いて成型されたシャッター補強柱、シャッター、シャッター補強柱ガイドレール、シャッターガイドレール、シャッター中柱シャッター巻き上げ装置カバーを有する事を特長と請求項１乃至３のいずれか１項に記載のシャッター補強柱。
【発明の詳細な説明】
【技術分野】
【０００１】
この発明は建物の屋外と屋内とを区切るシャッターにおいてシャッターが風により受ける風圧、シャッターを上げ下げ時やシャッターを下げた場合や風による騒音に関する。
【背景技術】
【０００２】
シャッターの横の長さがある程度長くなるとシャッターが受ける風圧に耐えられずシャッターが外れてしまうためシャッターを分割してその間に中柱を立てるか、又は長いままであると補強柱を立てていた。
シャッター巻き上げ装置下部もしくはシャッター下部のどちらか一方にシャッター補強柱ガイドレールを設け、このシャッター補強柱ガイドレールにシャッター補強柱のコロを設けた一方をころがし入れて他端はシャッター補強柱ガイドレールを設けないもう一方に施動自在に軸着されていた。
【先行技術文献】
【特許文献】
【０００３】
【特許文献１】特開昭  ４７−０３３４４７
【特許文献２】特開昭  ４８−００９５４７
【発明の概要】
【０００４】
シャッターの間口の距離がシャッター上下可動距離の約二倍の距離からシャッター上下可動距離とほぼ同等な距離間においてもシャッターを下げた場合、シャッター巻き上げ装置下部とシャッター下部の両者に補強柱ガイドレールを設ける事によりシャッター補強柱はシャッター中央にほぼ垂直に設置される。
シャッター上下時やシャッターが受ける風により発生する騒音を複合炭素繊維の部品を使用する事で軽減する。
【発明が解決しようとする課題】
【０００５】
分割したシャッターの間に中柱をたてるのは面倒である、又外した中柱や、補強柱は置く場所にも困るし持ち歩くのも大変で、立て掛けて置くと倒れる危険がともなう、見た目も良くない。
【０００６】
倉庫なので吊るし形大形扉の場合、扉のガイドレールが底に埋め込んである場合、これに重い物がひっかかり曲ったりすると扉の開け閉めがしにくくなる、又扉のガイドレールを取り替えるのは大変、大形シャッターの補強柱は持ち歩く事は出来ないので大形シャッターの中央にシャッター補強柱は立てにくいので大形シャッターでなく大形扉になってしまう。
【０００７】
シャッター補強柱ガイドレールの設置がシャッター巻き上げ装置下部もしくはシャッター下部どちらか一方であると、シャッター間口の距離がシャッター上下可動距離ほぼ2倍以下の距離においてはシャッター補強柱はほぼ垂直でシャッター中央の位置に設置されないためにシャッターが受ける風圧に対して十分な効果は得られない。
【０００８】
コロを有するシャッター補強柱の端が補強柱ガイドレール外にありコロ軸のみであるとシャッターが受ける風圧加重の対処には十分ではない。
【０００９】
シャッター上げ下げ時に発生する軋み音やシャッターを下げた場合に風によるシャッターの騒音、風圧によりシャッターがシャッター補強柱にあたる騒音は周囲の人に不快感をあたえる。
魚市場や海岸に近い場所においては塩害によるシャッター部分の腐食が激しい。
【課題を解決するための手段】
【００１０】
本願発明の請求項１は、溝を有するシャッター上レールがシャッター巻上げ装置下部に溝が下向きになるように取付けられ、溝を有するシャッター下レールがシャッター下部に溝が上向きになるように取り付けられ、前記シャッター上レールの溝にシャッター開閉距離よりも長くシャッター補強柱作動優先順位調整用コロシャフトブレーキを有すシャッター補強柱の一端をシャッター上レール内に他端をシャッター下レール内に転がり自在に保持すると共に、そしてシャッター下レール内の補強柱の端はシャッター上レール内に設けたコロストッパーよりも外側であることを特徴とするシャッター補強柱である。
【００１１】
本願発明の請求項２は、シャッター上レールが間口の外側又はシャッター可動範囲外に延長される事を特徴とする請求項１記載のシャッター補強柱である。
【００１２】
本願発明の請求項３は、シャッター補強柱のパイプの部分を外側パイプと内側パイプとで形成され、外側パイプの中に内側パイプをすべり込ませてパイプを二重にした事によりシャッター補強柱の長さが長短自在であって、シャッター補強柱外パイプにシャッター補強柱作動優先順位調整用リーフスプリングを備えた事を特徴とする請求項１又は２どちらかに記載のシャッター補強柱である。
【００１３】
本願発明の請求項４は、複合炭素繊維を用いて成型されたシャッター補強柱、シャッター、シャッター補強柱ガイドレール、シャッターガイドレール、シャッター中柱、シャッター巻き上げ装置カバーを有する事を特徴と請求項１乃至３いずれかに記載のシャッター補強柱である。
【００１４】
シャッター補強柱ガイドレール（９）アッセンブリーについて。
カーテンレールの大形の様なC形部材の両端にコロＡ（２）コロＢ（３）を止めるコロストッパー（８）を設けこれをシャッター補強柱ガイドレール（９）とする。
【００１５】
シャッター補強柱（４）アッセンブリーについて。
パイプの両端に穴を開け  その穴の両方にシャフト（１）をそれぞれ通して両方のシャフトの両端にコロを設けるそして一方をコロA（２）としもう一方をコロB（３）として、このパイプをシャッター補強柱（４）とする、シャッター（５）とシャッター補強柱（４）との隙間を埋めるためにシャッターこすり防止と消音のためのパイル地を付けたスペンサー（６）を設ける、そのスペンサー（６）を設けるためにパイプの一部が常にシャッター補強柱ガイドレール（９）外にある太さのパイプを使用し、シャフト（１）の位置をパイプ端の右又は左に設ける、そしてコロA（２）コロB（３）のコロがり調整するため調整バネ（７）をそれぞれに設ける。
【００１６】
伸びるシャッター補強柱（14）アッセンブリーについて。
シャッター補強柱（４）のパイプの部分を外側パイプ（10）と内側パイプ（11）にして外側パイプ（10）の中に内側パイプ（11）をすべり込ませてパイプを二重にし、出し入れが出来るようにして、そして出し入れに負荷をかける調整が出来るリーフスプリング（12）を設ける、又必要以上にパイプが伸びない為のストッパー（13）を設け、これ全体を伸びるシャッター補強柱（14）とする。
【００１７】
シャッター（５）を上下する時にシャッター下部（16）が横にずれるとシャッター（５）動きが悪くなるのでこれ防止する横ずれ防止（17）を設ける。
【００１８】
シャッター補強柱ガイドレール（９）をシャッター巻き上げ装置（15）の下部にC形の開いている部分を下向にそしてシャッター下部（16）に上向きに設ける。
【００１９】
シャッター巻き上げ装置、（15）下部に設けたシャッター補強柱ガイドレール（９）のコロストッパー（８）の一方を取り外し、シャッター補強柱（４）のコロA（２）をころがし入れて、外したコロストッパー（８）を取り付ける、次にシャッター下部（16）に取り付けたシャッター補強柱ガイドレール（９）のコロストッパー（８）の一方を取り外しそこからコロB（３）をころがし入れて外したコロストッパー（８）を取り付ける、そしてシャッター下部（16）の両端に横ずれ防止（17）を設ける、この形は標準タイプで図４図５である。
【００２０】
シャッター（５）の横幅がシャッターの高さの約２倍を上回る場合図６、シャッター巻き上げ装置（15）下部にシャッター補強柱ガイドレール（９）のコロストッパー（８）の一方を取り外し  そこからシャッター補強柱（４）のコロA（２）をころがし入れて、外したコロストッパー（８）を取り付ける、又シャッター下部（16）にはシャッター補強柱ガイドレール（９）は設けずシャッター補強柱取付金具を（18）を設けこれにシャッター補強柱（４）のコロB（３）のコロのみを取り外してシャフト（１）のみにし、このシャフト（１）をシャッター補強柱取付金具（18）に取り付けナットで止める。
【００２１】
倉庫などでシャッター補強柱ガイドレール（９）がシャッター（５）の横幅の外に出して取り付け可能な場合  図７  図８  はシャッター巻き上げ装置（15）下部やそこを横に通る梁（19）にシャッター補強柱ガイドレール（９）を設けそこにシャッター補強柱（４）のコロA（２）を取り付けシャッター補強柱のもう片方のシャフト（１）をシャッター補強柱取付金具（18）に取り付けるそして横ずれ防止（17）を設ける。
【００２２】
シャッターの間口の距離がシャッター上下可動距離とほぼ同等な距離又はそれ以下である場合、又はシャッター補強柱ガイドレールが間口の外側に設置出来ない場合に伸びるシャッター補強柱（14）を使用する。
シャッター補強柱（４）、シャッター（５）、シャッター補強柱ガイドレール（９）、シャッターガイドレール（20）、シャッター中柱シャッター巻き上げ装置（15）カバーなどを炭素繊維入り合成樹脂で射出成型する、又は押し出し成型しそれを加工し使用する。
【発明の効果】
【００２３】
シャッター補強柱を持ち歩かなくて済み置く場所を考えなくて良い、立て掛けて置かないので倒れる事も無い。シャッターを下ろすだけ上げるだけでシャッター補強柱が立つので時間のロスがない、又横長のシャッターが出来て見た目もスマート。
【００２４】
大形シャッターのシャッター補強柱は重くて持ち歩く事ができないが持ち歩く必要がないので大形シャッターの設置が出来るので倉庫などで横にスライドする大形扉の下部のぶれを防ぐための底埋め込み扉ガイドレールを付ける事がいらないので施工の手間がはぶけるし、パレットを運ぶ輪の小さい手押しリフトや台車の出入りがスムーズに出来る。
【００２５】
シャッター補強柱ガイドレール（９）をシャッター巻き上げ装置（15）の下部とシャッター下部（16）に設けた事によりシャッター間口の距離がシャッター上下可動距離の約2倍の距離からほぼ同等な距離においてもシャッター補強柱はほぼ垂直にシャッター中央の位置に設置されるのでシャッターが受ける風圧に対しての効果は高い。
【００２６】
コロＡ（２）コロＢ（３）を有するシャッター補強柱（４）の両端がシャッター巻き上げ装置（15）下部又はシャッター下部（16）に設けたシャッター補強柱ガイドレール（９）のいずれかに入った状態にある事、そしてシャッター補強柱（４）の両端に設けたシャフトにそれぞれ複数のコロＡ（２）コロＢ（３）を設けた事により風圧に対しての強度効果は高い。
【００２７】
シャッターの間口の距離がシャッター上下可動距離とほぼ同等な距離又はそれ以下の場合にシャッター補強柱ガイドレール（９）を間口の外側に延長した事又は伸びるシャッター補強柱（14）の使用はシャッター補強柱をほぼ垂直にそしてシャッター中央に設置される。
【００２８】
複合炭素繊維により成型された部品又は成型され、さらに加工され部品の使用によりシャッター上げ下げ時に発生する軋み音そしてシャッターを下げた場合に風によるシャッター騒音、風圧によりシャッターが補強柱（９）にあたる騒音は軽減される、複合炭素繊維によるシャッター補強柱（４）、シャッター（５）、シャッター補強柱ガイドレール（９）、シャッターガイドレール（20）は塩害など腐食が少ないので海岸近くでの使用は効果が高い、又風圧に対する強度に効果的。
【図面の簡単な説明】
【００２９】
【図１】シャッター補強柱ガイドレール（９）アッセンブリーを示す図
【図２】シャッター補強柱（４）アッセンブリーを示す図
【図３】伸びるシャッター補強柱（14）アッセンブリーを示す図
【図４】シャッター（５）を下まで下ろしてシャッター補強柱（４）が立った図で標準タイプを示す図
【図５】シャッター（５）を上まで上げてシャッター補強柱（４）が収納された図で標準タイプを示す図
【図６】シャッター（５）を下まで下げた横長タイプを示す図
【図７】２本のシャッター補強柱ガイドレール（９）を梁（19）に左右に設けた大形倉庫用シャッター（５）を示す図
【図８】シャッター補強柱ガイドレール（９）を梁（19）に設けた倉庫用縦長シャッター（５）を示す図
【発明を実施するための形態】
【００３０】
以下、図面に基づいて説明する。
標準タイプ図４のシャッター（５）を下ろした状態からシャッター（５）を上げる説明をする、シャッター補強柱（４）に設けたコロA（２）のシャフト（１）に調節出来るスクリューを付けた調整バネ（７）で負荷をかけ、コロB（３）のシャフト（１）には負荷をかけないでシャッター（５）を上げ始めるとコロB（３）はシャッター下部（16）に設けたシャッター補強柱ガイドレール（９）の中を中央より端のコロストッパー（８）迄移動する、さらにシャッター（５）を上げるとコロA（２）はシャッター巻き上げ装置（15）下部に設けたシャッター補強柱ガイドレール（９）の中を中央より端に移動し、シャッター補強柱（４）は水平になり収納状態図５になる。
【００３１】
次にシャッター（５）を下ろし始めるとコロB（３）は端から中央に移動しさらにシャッターを下ろすとコロA（２）が端から中央に移動して、シャッター補強柱（４）は使用可能な状態図４に立つ、シャッター（５）を上下することによりシャッター下部（16）横ぶれをするが横ぶれは横ぶれ防止（17）によって防ぐ事が出来る、又シャッター（５）とシャッター補強柱（４）との隙間を埋めるためにパイル地をスペンサー（６）に付けシャッター補強柱（４）に設ける事によりシャッター（５）が風により揺れておきる騒音を半減出来る。
【００３２】
倉庫などでシャッター補強柱ガイドレール（９）がシャッター（５）の横幅の左右の外に出して設置出来る図７場合シャッター（５）を上げ始めると梁（19）に設けた左右のシャッター補強柱ガイドレール（９）の中を左右のコロA（２）は中央より両端に移動し左右のシャッター補強柱取付金具（18）は左右のシャッター補強柱ガイドレール（９）の間に収まり左右のシャッター補強柱は水平になり収納状態になる。
【００３３】
伸びるシャッター補強柱（14）の外側パイプ（10）又は内側パイプ（11）に設けたいずれかのコロを取り外したコロシャフト（１）をシャッター下部（16）のシャッター補強柱取付金具（18）に取り付け使用した場合、リーフスプリング（12）により外側パイプ（10）と内側パイプ（11）の動きに負荷をかける事により、シャッター（５）を上げた状態よりシャッター（５）を下げるとシャッター下部（16）に設けたシャッター補強柱ガイドレール（９）の中のコロはシャッター補強柱ガイドレール（９）端より中央のコロストッパー（８）迄移動し、さらにシャッター（５）を下げると外側パイプ（10）より内側パイプ（11）が伸び伸びるシャッター補強柱（14）はシャッター（５）中央部に立つ事が出来る。
【産業上の利用可能性】
【００３４】
対風圧強度に十分な対策を施してあるので大形シャッターの倉庫などに使用出来る。
間口がシャッター開閉距離の約2倍以下である場合でもシャッター中央部にシャッター補強柱が設置されるので住宅に使用しやすい。
【符号の説明】
【００３５】
１、シャフト
２、コロA
３、コロB
４、シャッター補強柱
５、シャッター
６、スペンサー
７、調整バネ
８、コロストッパー
９、シャッター補強柱ガイドレール
10、外側パイプ
11、内側パイプ
12、リーフスプリング
13、ストッパー
14、伸びるシャッター補強柱
15、シャッター巻き上げ装置
16、シャッター下部
17、横ずれ防止
18、シャッター補強柱取付金具
19、梁
20、シャッターガイドレール
【要約】
【課題】シャッターの間口の距離がシャッター上下可動距離の約2倍以下においてもシャッター中央部にほぼ垂直にシャッター補強柱を設置する。
【解決手段】上に取り付けるシャッター補強柱ガイドレールをシャッター巻き上げ装置の下部、若しくは倉庫では梁に設けて、シャッター補強柱の一方のコロＡをこれにころがし入れる。下に取り付けるシャッター補強柱ガイドレール若しくはシャッター補強柱取付金具をシャッター下部に設けて、シャッター補強柱の一方をこのどちらかに取り付ける。そして、シャッターを上げ下げするとコロＡ、コロＢが左右に移動して、シャッターを下げた状態ではシャッター補強柱は立ち、シャッターを上げた状態ではシャッター補強柱は水平になり、収納状態になる。
【選択図】図４【図１】
0004820457.tif 000002
【図２】
0004820457.tif 000003
【図３】
0004820457.tif 000004
【図４】
0004820457.tif 000005
【図５】
0004820457.tif 000006
【図６】
0004820457.tif 000007
【図７】
0004820457.tif 000008
【図８】
0004820457.tif 000009